(57)【要約】【課題】複数の湯槽を備えている場合でも、簡素な構成で各湯槽内の茹で湯を良好に外部に排出することが可能な食材茹で機を提供する。【解決手段】食材茹で機１０は、有底筒状をなし、内部に茹で湯が貯留される複数の湯槽２２と、湯槽２２の下方に配置され湯槽２２を加熱する燃焼バーナ４９と、連通管３０を介して湯槽２２と接続された湯水供給槽２８と、を備えている。湯水供給槽２８は、その底壁３５ａが湯槽２２の底壁２２ａよりも下方に形成され、連通管３０は、一方の端部が湯槽２２の底壁２２ａに接続され、他方の端部が湯槽２２の底壁２２ａよりも下方の位置で湯水供給槽２８に接続されており、湯槽２２内に貯留された茹で湯を、湯水供給槽２８の底壁３５ａに接続された排出用の導管４５を通じて外部排出可能に構成されている。【選択図】        図２
2019195416.tif 000002
【特許請求の範囲】
【請求項１】
有底筒状をなし、内部に茹で湯が貯留される複数の湯槽と、
該湯槽の下方に配置され該湯槽を加熱する加熱手段と、
連通管を介して該湯槽と接続され、内部に貯留された湯若しくは水を該湯槽に供給する湯水供給槽と、を備えた食材茹で機であって、
前記湯水供給槽は、その底壁が、前記湯槽の底壁よりも下方に形成されるとともに、
前記連通管は、一方の端部が前記湯槽の底壁に接続され、他方の端部が該湯槽の底壁よりも下方の位置で前記湯水供給槽に接続されており、
前記湯槽内に貯留された茹で湯を、前記湯水供給槽の底壁もしくはその近傍位置に接続された排出用の導管を通じて外部排出可能に構成されていることを特徴とする食材茹で機。
【請求項２】
前記湯槽の周壁上部には、前記湯水供給槽の水面よりも高い位置に、前記湯槽内の茹で湯の一部を前記湯水供給槽に向けて排出可能な切欠部が形成されていることを特徴とする請求項１に記載の食材茹で機。
【請求項３】
前記湯槽に挿入される容器は、食材を収容する収容部が、多数のパンチング孔が穿設された穴あき材で構成されていることを特徴とする請求項１に記載の食材茹で機。
【発明の詳細な説明】
【技術分野】
【０００１】
この発明は、麺類（例えば、そば、うどん、ラーメン、スパゲッティー等）等の食材（食品）を茹でるための食材茹で機に関する。
【背景技術】
【０００２】
例えば、下記特許文献１に示すように、内部に茹で湯が貯留される湯槽と、この湯槽の下方に配置され湯槽を加熱する加熱手段と、を備えた食材茹で機がある。
この食材茹で機では、湯槽を囲むように湯水供給槽としての熱交換器が設けられており、熱交換器から延設させた補給水導入管の端部を湯槽の内部に挿入して、この補給水導入管を介して熱交換器内の湯若しくは水を湯槽内に補給する。
【０００３】
このように構成された食材茹で機では、湯槽内に貯溜された茹で湯を排出する際、補給水導入管を利用していたが、補給水導入管の端部開口は、湯槽の底壁よりも上方に位置しているため、湯槽内の茹で湯の一部が排出されずに槽内に残ってしまう問題があった。
【０００４】
これとは異なる排出方法として、補給水導入管を利用せず、別途の排出管を湯槽の底壁に接続し、かかる排出管を通じて湯槽内の茹で湯を排出することも考えられるが、複数の湯槽がある場合には、それぞれの湯槽に対して排出管を設けなければならず設備の複雑化を招いてしまう。
【先行技術文献】
【特許文献】
【０００５】
【特許文献１】特開２００６−１７４９４５号公報
【発明の概要】
【発明が解決しようとする課題】
【０００６】
本発明は以上のような事情を背景とし、複数の湯槽を備えている場合でも、簡素な構成で各湯槽内の茹で湯を良好に外部に排出することが可能な食材茹で機を提供することを目的としてなされたものである。
【課題を解決するための手段】
【０００７】
而して本発明は、有底筒状をなし、内部に茹で湯が貯留される複数の湯槽と、
該湯槽の下方に配置され該湯槽を加熱する加熱手段と、
連通管を介して該湯槽と接続され、内部に貯留された湯若しくは水を該湯槽に供給する湯水供給槽と、を備えた食材茹で機であって、
前記湯水供給槽は、その底壁が、前記湯槽の底壁よりも下方に形成されるとともに、
前記連通管は、一方の端部が前記湯槽の底壁に接続され、他方の端部が前記湯槽の底壁よりも下方の位置で前記湯水供給槽に接続されており、
前記湯槽内に貯留された茹で湯を、前記湯水供給槽の底壁もしくはその近傍位置に接続された排出用の導管を通じて外部排出可能に構成されていることを特徴とする。
【０００８】
本発明によれば、湯水供給槽と湯槽を接続する連通管を利用して、湯槽内の茹で湯を抜き出し、外部に排出することができる。連通管の一方の端部は、湯槽の底壁に接続されているため、排出の際、湯槽内の茹で湯の一部が排出されずに内部に残ってしまうことを防止することができる。
【０００９】
連通管は、湯水供給槽の内部に貯留された湯若しくは水を湯槽に供給する補給管としての機能も有している。本発明では、連通管の一端が湯槽の底壁に接続される構成であるため、連通管は必然的に湯槽の下方に配置される。このため本発明では、連通管を流通する湯若しくは水が、湯槽の下方に配置された加熱手段により加熱された後、湯槽に導入される。すなわち加熱手段近傍における熱交換面積が広がり、装置としての熱効率を高めることができる。本発明では、湯水供給槽内の水が十分に温められていない場合であっても、湯槽内に導入される水の温度は連通管内で高められるため、湯槽内の茹で湯の温度が必要以上に低下してしまうのを防止することができる。
【００１０】
有底筒状の湯槽を複数備えた本発明の食材茹で機では、使用する湯槽内の茹で湯のみを加熱手段を用いて加熱沸騰させれば良い。このため、湧きが早く、また少量の食材を茹でる場合に燃料の使用量を抑えることができる。一方で、各湯槽の容積が小さいため、貯留された茹で湯に濁りが生じやすい。このため本発明では、前記湯槽の周壁上部の、前記湯水供給槽の水面よりも高い位置に、前記湯槽内の茹で湯の一部を前記湯水供給槽に向けて排出可能な切欠部を形成することができる。
このようにすれば、茹で湯の一部がかかる切欠部を通じて流出し、これに代わる新たな湯若しくは水が湯水供給槽から湯槽内に補給されるため、湯槽内の濁りの悪化を抑制することができる。
【００１１】
ここで切欠部を湯水供給槽の水面よりも高い位置に設けたのは、この切欠部から、湯水供給槽内の温度の低い湯若しくは水が直接、湯槽内に流入するのを防止するためである。本発明では、連通管を通じて加熱された湯が湯槽内に導入され、湯槽内の茹で湯の温度が必要以上に低下してしまうのを防止することができる。
【００１２】
また本発明では、前記湯槽に挿入される容器の、食材を収容する収容部を、多数のパンチング孔が穿設された穴あき材で構成することができる。
湯槽に挿入される容器の収容部を、ステンレス製ワイヤーを編んだ網材で構成することも可能であるが、開口比率が高いため、収容部内に一旦進入した噴出流が収容部外に逃げ易く、例えば麺類を茹でた場合に、湯槽で麺類が回転する動きが止まり易い。これに対し収容部を、多数のパンチング孔が穿設された穴あき材で構成した場合には、網材に比べて収容部における開口比率が低くなり、収容部内の噴出流が外に逃げ難くなるため、麺類をより速い速度で回転させることが可能となり、その結果、茹で時間を短くすることができる。
【図面の簡単な説明】
【００１３】
【図１】本発明の一実施形態の食材茹で機を示した図で（ａ）はその平面図、（ｂ）は正面図である。
【図２】図１のII−II部位に対応する断面図である。
【図３】図１のIII−III部位に対応する断面図である。
【図４】（ａ）は湯槽配置部を構成する部材を上面方向から示した斜視図である。（ｂ）は同部材を底面方向から示した斜視図である。
【図５】湯槽配置部の上部を拡大して示した断面図である。
【図６】本実施形態における茹で湯排出時の作用説明図である。
【発明を実施するための形態】
【００１４】
次に本発明の実施形態を図面に基づいて詳しく説明する。
図１において、１０は本発明の一実施形態の食材茹で機で、その上部に設けられた湯槽配置部１２と、湯槽配置部１２の前側に設けられた操作部１６と、湯槽配置部１２の後側に位置し、付帯装置を内部に収容する装置収容部１４と、を備えている。
本例では、装置収容部１４の内部に給水装置１８が収容され、また装置収容部１４の上部にはカラン２０が設けられている。
【００１５】
湯槽配置部１２は、茹で湯を内部に貯留する複数（本例では６つ）の湯槽２２と、内部に貯留された湯若しくは水を各湯槽２２に供給する湯水供給槽２８とを備え、各湯槽２２はそれぞれ連通管３０（図２参照）を介して湯水供給槽２８と連通する。なお、湯水供給槽２８の上向きの開口は、蓋部２６で覆われている。
【００１６】
図２に示すように、湯槽２２には、麺類等の食材が収容された容器としての麺籠Ｙが挿入される。湯槽２２は、上向きに開口した有底円筒形状をなし、１つの麺籠Ｙが挿入可能な大きさとされている。
【００１７】
湯槽２２内の下方位置には、略円錐形状の、噴流を発生させるための噴流板３１が配設されている。噴流板３１には麺籠Ｙの底部の位置に対向させて噴流孔３２が設けられている。この噴流板３１は、上方へ噴出する噴出流を形成して、噴出流を麺籠Ｙ内の食材に集中的に接触させ、これを撹拌して解きほぐすものである。
【００１８】
湯槽２２の底壁２２ａには、複数の加熱突起３４が下向きに配設されている。加熱突起３４は、後述する燃焼室２４における高温ガスを再燃焼させるとともに熱効率を向上させるものである。
【００１９】
図４は、湯槽２２および湯水供給槽２８を一体に接合させた、湯槽配置部１２を構成する部材を示した斜視図である。各湯槽２２を取り囲むように湯水供給槽２８が形成されている。湯水供給槽２８は、平面視矩形枠状の深底部３５と、深底部３５よりも内側に位置する浅底部３６とを備えている。深底部３５の底壁３５ａには排出用の導管４５が接続されている。なお、湯水供給槽２８の上部外周には、その前方および左右の側方に、樋状の余剰水受け部４４が設けられ、その底壁４４ａには排出用の導管４６が接続されている。図４（ａ）における５０は、底壁４４ａに形成された開口で、導管４６と連通する。
【００２０】
図２に示すように、深底部３５はその底壁３５ａが、湯槽２２の底壁２２ａよりも下方に形成されている。湯槽２２と湯水供給槽２８とを連通させる連通管３０は、一方の端部が湯槽２２の底壁２２ａに接続され、他方の端部が湯槽２２の底壁２２ａよりも下方の位置で湯水供給槽２８の内周壁３５ｂに接続されており、湯水供給槽２８内の湯若しくは水は、連通管３０を通じて湯槽２２内に導入される。
【００２１】
図３に示すように、湯水供給槽２８は、連通管３７を介して給水装置１８に接続されている。給水装置１８は、タンク３８と、タンク３８の内部に組み付けられたボールタップ３９を備えている。ボールタップ３９は、フロート４０と、フロート４０の昇降に連動して開閉する給水弁４１と、タンク内吐水口４２とを備えている。ボールタップ３９には図示を省略する給水管が接続されており、フロート４０の下降により給水弁４１を開いてタンク内吐水口４２から吐水を行い、またフロート４０の上昇により給水弁４１を閉じて給水停止する。給水装置１８は、このようにタンク３８内の水面Ｈの高さを制御しながら、連通管３７を通じて湯水供給槽２８に水を供給する。
そして湯水供給槽２８の内部には給水装置１８から水が貯留されることとなり、また各湯槽２２の内部には連通管３０を通じて湯水供給槽２８からの水が供給される。
【００２２】
図４に示すように、各湯槽２２の周壁上部および湯水供給槽２８の周壁上部には、それぞれ切欠部５７および５８が形成されている。これら切欠部５７，５８は、槽内に貯留された湯若しくは水の一部を槽外に排出するためのものである。
例えば図５に示すように、湯水供給槽２８の周壁上部では、切欠部５８の底面を越えて溢れ出た水は、余剰水受け部４４に受け止められ、図３で示す導管４６により外部に排出される。
【００２３】
一方、湯槽２２の周壁上部に形成された切欠部５７は、その底面が湯水供給槽２８の水面Ｉよりも僅かに高い位置に形成されている。通常、食材を茹でる際には湯水供給槽２８内の湯若しくは水よりも、湯槽２２内の茹で湯の温度が高く、これに伴い湯水供給槽２８内の水面Ｉよりも湯槽２２の水面Ｊが高くなる。本例では、この状態で湯槽２２内の茹で湯の一部が湯水供給槽２８内に溢れ出るように、また湯水供給槽２８内の湯若しくは水が湯槽２２内に流入しないように、切欠部５７が形成されている。
また、図５に示すように、食材を茹でる際に湯槽２２の上縁部を乗り越えて溢れ出た茹で湯は、蓋部２６の上面を流れ、余剰水受け部４４を経て導管４６により外部に排出される。
【００２４】
図２，３に示すように湯水供給槽２８の内側には、各湯槽２２の下部を取り囲むように囲繞壁４７が形成され、各湯槽２２の下方且つ囲繞壁４７の内側に燃焼室２４が形成されている。燃焼室２４では、各湯槽２２の下方に、湯槽２２の底壁２２ａを加熱する加熱手段としての燃焼バーナ４９が配設されている。本例の場合、各湯槽２２に対応して６つの燃焼バーナ４９が配設されている。燃焼バーナ４９は、図示を省略するガス供給管により供給されるガスを燃焼させるものである。図１（ｂ）に示すように、操作部１６にはこれら燃焼バーナ４９の点火・消化および火力の調整を行なう操作摘み１７が、燃焼バーナ４９の数に対応して設けられている。
なお、囲繞壁４７の内側には、加熱された際に遠赤外線を放射可能なジルコニアセラミックス等からなる遠赤外線放射体４７ａが固着されている。
【００２５】
図２，３に示すように、囲繞壁４７の上部は、湯槽２２の下部を囲繞するように、湯槽２２と湯水供給槽２８との間に延設され、囲繞壁４７と湯槽２２との間には第１煙道部５１が形成され、囲繞壁４７と湯水供給槽２８との間には第１煙道部５１に連通された第２煙道部５２が形成されている。
【００２６】
そして、湯水供給槽２８と食材茹で機１０の各側壁１１（図２参照）との間、および装置収容部１４の内部には第２煙道部５２に連通された第３煙道部５３が形成されている。
各煙道部を流通した燃焼ガスは、装置収容部１４に形成された複数の排気口５４（図１（ａ）参照）より外部に排出される。
【００２７】
麺籠Ｙは、図２に示すように、平面視略円形状で上方に開口する上下に長い収容部６０と、収容部６０の上端部から上方に突設された柄６２を備えている。
食材としての麺類を収容する収容部６０は、湯槽２２の内部に浸漬可能な大きさで、下方に至るに従ってその断面形状を縮小させている。収容部６０の上部には、他部よりも外径が大きな円環状のリング部６３が形成されている。
この収容部６０は、ステンレス製ワイヤーを編んだ網材で形成することも可能であるが、本例では、多数のパンチング孔６４が穿設された穴あき板で構成されている。また材質としてはステンレスに限らず、他の金属材料や樹脂等を使用することも可能である。
【００２８】
以上のように構成された食材茹で機１０の作用について説明する。
まず、各湯槽２２および湯水供給槽２８が、水で満たされた状態で燃焼バーナ４９に点火する。なお、本例では６つの湯槽２２を備えているが、その一部だけを使用する場合には、使用する湯槽２２の直下の燃焼バーナ４９だけを点火すればよい。これにより湯槽２２の底壁２２ａおよび加熱突起３４が加熱される。また各囲繞壁４７の遠赤外線放射体４７ａも温められて遠赤外線を放射し、湯槽２２を温める。
【００２９】
燃焼バーナ４９による燃焼で生じた燃焼ガスは、図２，３の矢印で示すように、第１煙道部５１および第２煙道部５２を通って第３煙道部５３に入る。高温の燃焼ガスは、各煙道部を流通する過程で、熱交換により湯水供給槽２８内の水を温める。そして、熱交換により熱を奪われ温度低下した排ガス（燃焼ガス）は、装置収容部１４の上部に設けられた排気口５４から外部に排気される。
【００３０】
一方、湯槽２２の内部では、噴流板３１の下方の水が加熱沸騰し、噴流孔３２からは上方に噴出する噴出流が生じる。ここで、湯槽２２内に、麺類が入った麺籠Ｙの収容部６０を挿入すると、収容部６０の底部及び周壁に形成されたパンチング孔６４を通じて内部に進入した噴出流が、収容部６０内の麺類に接触して伝熱を行うとともに、麺類を撹拌させる。このようにして所定時間、茹でられた麺類は、麺籠Ｙごと茹で湯から引き上げられる。
【００３１】
麺類が茹でられている間、図５で示すように、湯槽２２の切欠部５７からは茹で湯の一部が湯水供給槽２８に流出する。そして、これを補うように湯槽２２の底壁２２ａに接続された連通管３０を通じて新たな湯が湯槽２２内に導入され（図２参照）、湯槽２２内の茹で湯の濁りが悪化するのを抑制する。
【００３２】
また、清掃のために湯槽２２内の茹で湯を排出する場合には、図示を省略する給水管の開閉バルブを閉じた状態で、排出用の導管４５に接続された開閉バルブ６６を開くと、図６に示すように湯槽２２の底壁２２ａに形成された開口２３を通じて湯槽２２内の茹で湯が連通管３０内に流れ込み、湯水供給槽２８の側に向けて流通する。そして、湯水供給槽２８内の湯とともに導管４５を通じて外部に排出される。
【００３３】
以上のように、本実施形態によれば、湯水供給槽２８と湯槽２２とを接続する連通管３０を利用して、湯槽２２内の茹で湯を抜き出し、外部に排出することができる。連通管３０の一方の端部は、湯槽２２の底壁２２ａに接続されているため、排出の際、湯槽２２内の茹で湯の一部が排出されずに内部に残ってしまうことを防止することができる。
【００３４】
連通管３０は、湯水供給槽２８の内部に貯留された湯若しくは水を湯槽２２に供給する補給管としての機能も有している。本実施形態では、連通管３０の一端が湯槽２２の底壁２２ａに接続される構成であるため、連通管３０は必然的に湯槽２２の下方に配置される。このため本実施形態では、図２に示すように、連通管３０を流通する湯若しくは水が、湯槽２２の下方に配置された燃焼バーナ４９により加熱されたのち湯槽２２に導入される。すなわち本実施形態の食材茹で機１０では、燃焼バーナ４９近傍における熱交換面積が広がり、装置としての熱効率を高めることができる。本実施形態では、湯水供給槽２８内の水が十分に温められていない場合であっても、湯槽２２内に導入される水の温度は、連通管３０内で高められるため、湯槽２２内の茹で湯の温度が必要以上に低下してしまうのを防止することができる。
【００３５】
また本実施形態では、湯槽２２の周壁上部の、湯水供給槽２８の水面Ｉよりも高い位置に、湯槽２２内の茹で湯の一部を湯水供給槽２８に向けて排出可能な切欠部５７を形成している。湯槽２２を複数備えた本実施形態の食材茹で機１０では、各湯槽２２の容積が小さいため、貯留された茹で湯に濁りが生じやすいが、湯槽２２の周壁上部に切欠部５７を形成することで、茹で湯の一部が切欠部５７を通じて流出し、これに代わる新たな湯が湯水供給槽２８から湯槽２２内に補給されるため、湯槽２２内の濁りの悪化を抑制することができる。
【００３６】
また切欠部５７を湯水供給槽２８の水面Ｉよりも高い位置に設けているため、切欠部５７から温度の低い湯水供給槽２８内の湯若しくは水が直接、湯槽２２内に流入するのを防止することができる。その結果、湯槽２２内には、連通管３０を通じて加熱された湯が導入されるので、湯槽２２内の茹で湯の温度が必要以上に低下してしまうのを防止することができる。
【００３７】
また本実施形態では、湯槽２２に挿入される麺籠Ｙの収容部６０を、多数のパンチング孔６４が穿設された穴あき材で構成している。このため、収容部６０を、ステンレス製ワイヤーを編んだ網材で構成した場合に比べて、収容部６０における開口比率が低くなって、収容部６０内に進入した噴出流が収容部６０外に逃げ難くなるため、収容部６０内において麺類をより速い速度で回転させることが可能となり、その結果、茹で時間を短くすることができる。
【００３８】
以上本発明の実施形態を詳述したがこれはあくまでも一例示である。例えば本発明の食材茹で機には、麺類以外の食材を適用することも可能である等、本発明は、その趣旨を逸脱しない範囲において様々変更を加えた形態で実施可能である。
【符号の説明】
【００３９】
１０  食材茹で機
２２  湯槽
２２ａ  底壁
２８  湯水供給槽
３０  連通管
３５ａ  底壁
４５  導管
４９  燃焼バーナ（加熱手段）
５７  切欠部
６０  収容部
Ｉ，Ｊ  水面
Ｙ  麺籠（容器）
【図１】
2019195416.tif 000003
【図２】
2019195416.tif 000004
【図３】
2019195416.tif 000005
【図４】
2019195416.tif 000006
【図５】
2019195416.tif 000007
【図６】
2019195416.tif 000008